【手続補正書】
【提出日】平成17年3月14日(2005.3.14)
【手続補正１】
【補正対象書類名】明細書
【補正対象項目名】特許請求の範囲
【補正方法】変更
【補正の内容】
【特許請求の範囲】
【請求項１】
加熱ローラと、該加熱ローラに当接し該加熱ローラを押圧する加圧ローラとを有する定着手段を備えた電子写真方式の画像形成装置において、
該定着手段は加熱ローラ表面の残留トナーのクリーニング手段を有し、
該クリーニング手段は、前記加熱ローラと当接し、前記加熱ローラを押圧するバックアップローラを有し、
該バックアップローラは、金属よりなる軸芯と、その外層に弾性体よりなる弾性層を有し、長手方向中央部に対し両端部の径が細い形状をなすことを特徴とする画像形成装置。
【請求項２】
加熱ローラと、該加熱ローラに当接し、該加熱ローラを押圧する加圧ローラを有する定着手段を備えた電子写真方式の画像形成装置において、
該定着手段は、加圧ローラ表面の残留トナーのクリーニング手段を有し、
該クリーニング手段は、前記加熱ローラと当接し、前記加熱ローラを押圧するバックアップローラを有し、更に前記加圧ローラと当接し、前記加圧ローラを押圧するバックアップローラを有する第２のクリーニング手段を有し、
各バックアップローラは、金属よりなる軸芯と、その外層に弾性体よりなる弾性層を有し、長手方向中央部に対し両端部の径が細い形状をなすことを特徴とする画像形成装置。
【請求項３】
表面が表面粗さＲａ＝２０〜８０μｍの発泡状をなし、硬度が１０〜４０度（アスカーＣ硬度）で、厚さが３〜２０ｍｍのシリコン発泡ゴムを含む弾性体よりなり、
直径方向の厚さが均一で、且つ長手方向中央部の厚さが厚く、両端方向に徐々に薄くなり、中央部と両端部の厚さの差が０．０５〜１ｍｍに形成され、
外形が長手方向にクラウン形状もしくは紡錘形状をなすように構成される前記弾性層を有し、
該弾性層により、長手方向中央部と両端部の直径の差が０．１〜２ｍｍで、外形が長手方向にクラウン形状もしくは紡錘形状をなす前記バックアップローラを備えることを特徴とする請求項１または２に記載の画像形成装置。
【請求項４】
鉄またはＳＵＳ（サス（ステンレス））またはアルミニウムよりなり、長手方向中央部の径が太く、両端方向に徐々に細くなり、中央部の径が５〜１５ｍｍで、中央部と両端部の直径の差が０．１〜２ｍｍであるようなクラウン形状もしくは紡錘形状であるような前記軸芯を有し、該軸芯により前記バックアップローラの長手方向中央部と両端部の直径の差が０．１〜２ｍｍで、外形が長手方向にクラウン形状もしくは紡錘形状をなす前記バックアップローラを備えることを特徴とする請求項１または２に記載の画像形成装置。
【請求項５】
クリーニング手段は、
バックアップローラと当接する加熱ローラとの間を摺接して搬送され、該加熱ローラ表面に付着した残留トナーを除去するクリーニングウエブと、
該クリーニングウエブを供給する繰り出し手段と、
該クリーニングウエブを回収する巻き取り手段と、を備え、
該クリーニングウエブはアラミド繊維を含む繊維からなるリボン状のウエブにより構成され、
該繰り出し手段は該クリーニングウエブに４〜１５Ｎのブレーキ力を発生するブレーキに接続されていることを特徴とする請求項１、３、４のいずれか１項に記載の画像形成装置。
【請求項６】
クリーニング手段は、
バックアップローラと当接する加熱ローラ間を摺接して搬送され、該加熱ローラ表面に付着した残留トナーを除去するクリーニングウエブと、該クリーニングウエブを供給する繰り出し手段と、該クリーニングウエブを回収する巻き取り手段とを有し、
クリーニング手段は、バックアップローラと当接する加圧ローラ間を摺接して搬送され、該加圧ローラ表面に付着した残留トナーを除去するクリーニングウエブと、該クリーニングウエブを供給する繰り出し手段と、該クリーニングウエブを回収する巻き取り手段とを有し、
各クリーニングウエブはアラミド繊維を含む繊維からなるリボン状のウエブにより構成され、
各繰り出し手段はクリーニングウエブに４〜１５Ｎのブレーキ力を発生するブレーキに接続されていることを特徴とする請求項２、３、４のいずれか１項に記載の画像形成装置。
【請求項７】
バックアップローラと該バックアップローラが当接する加熱ローラとのニップ幅が１〜６ｍｍとなるように、該バックアップローラと該加熱ローラを離間して配設することを特徴とする請求項１及び、３〜５のいずれか１項に記載の画像形成装置。
【請求項８】
バックアップローラと、該バックアップローラが当接する加熱ローラとのニップ幅、
及び、バックアップローラと、該バックアップローラが当接する加熱ローラとのニップ幅が、それぞれ１〜６ｍｍとなるように、バックアップローラと加熱ローラ間、及びバックアップローラと加圧ローラ間、を離間してそれぞれ配設することを特徴とする請求項２〜４、及び６のいずれか１項に記載の画像形成装置。
【請求項９】
加熱ローラは、その最外層がテトラフルオロエチレン・パーフルオロアルキルビニルエーテル共重合体（ＰＦＡ）、ポリテトラフルオロエチレン（ＰＴＦＥ）を含むフッ素樹脂コート層で形成され、表面粗さがＲａ＝０．１〜０．８μｍで、うねり量がＷＣＭ＝１〜３．５μｍであることを特徴とする請求項１〜８のいずれか１項に記載の画像形成装置。
【請求項１０】
加熱ローラ及び加圧ローラは、１５０〜４００ｍｍ／ｓｅｃの周速でクリーニングウエブを擦過することを特徴とする請求項１〜９のいずれか１項に記載の画像形成装置。
【請求項１１】
前記画像形成装置に用いる粉体トナーは平均粒径７μｍ以下の熱可塑性樹脂のスチレン−アクリル系樹脂を主成分とすることを特徴とする請求項１〜１０のいずれか１項に記載の画像形成装置。
【請求項１２】
加熱ローラと該加熱ローラに当接し押圧する加圧ローラを有する定着手段と、制御手段とを備えた電子写真方式の画像形成装置において、
該定着手段は、該加熱ローラと該加圧ローラおよび、残留トナーのクリーニング手段を備え、
該クリーニング手段は、バックアップローラと、該バックアップローラが当接する該加熱ローラとのニップ幅が１〜６ｍｍとなるように、該バックアップローラと該加熱ローラを離間して配設し、
直径が５〜１５ｍｍの金属よりなる軸芯と、その外層に硬度が１０〜４０度（アスカーＣ硬度計にて測定）で、表面粗さがＲａ＝２０〜８０μｍの粗さの発泡ゴムを含む弾性体よりなる弾性層との２層構造で構成され、軸方向中央部に対し両端部の直径が小さく、直径差が０．１〜２ｍｍのクラウン形状もしくは紡錘形状をなしたバックアップローラと、
該バックアップローラと該加熱ローラ間を摺接し搬送される、ローラ上に付着した残留トナーを除去するアラミド繊維を含む繊維からなるリボン状のクリーニングウエブと、
該クリーニングウエブを供給する繰り出し手段と、該クリーニングウエブを回収する巻き取り手段と、を有し、
該巻き取り手段の駆動手段は該制御手段により制御され、
該駆動手段は、該バックアップローラが当接する該加熱ローラが正転するとき、該制御手段により該加熱ローラの回転方向と逆方向にクリーニングウエブ幅に応じ８〜３０Ｎ以上の巻き上げ力を発生するように制御されることを特徴とする画像形成装置。
【請求項１３】
前記制御手段は、前記バックアップローラと前記加熱ローラ、および前記バックアップローラと前記加圧ローラとの当接点に於いて、当接するローラの回転方向と前記クリーニングウエブの搬送方向が反対方向に１枚の記録媒体の搬送当たり０．０２〜０．０８ｍｍ前記クリーニングウエブを搬送すように、前記駆動手段を制御することを特徴とする請求項１２に記載の画像形成装置。
【請求項１４】
前記バックアップローラは、長手方向中央部に対し両端部の径が細い形状をなし、中央部の径が１０〜３０ｍｍであることを特徴とする請求項１〜１３のいずれか１項に記載の画像形成装置。
【手続補正２】
【補正対象書類名】明細書
【補正対象項目名】００１２
【補正方法】変更
【補正の内容】
【００１２】
本発明の上記目的は下記の構成要素により達成される。即ち、
加熱ローラと、該加熱ローラに当接し該加熱ローラを押圧する加圧ローラとを有する定着手段を備えた電子写真方式の画像形成装置において、
該定着手段は加熱ローラ表面の残留トナーのクリーニング手段を有し、
該クリーニング手段は、前記加熱ローラと当接し、前記加熱ローラを押圧するバックアップローラを有し、
該バックアップローラは、金属よりなる軸芯と、その外層に弾性体よりなる弾性層を有し、長手方向中央部に対し両端部の径が細い形状をなすことを特徴とする画像形成装置。
【手続補正３】
【補正対象書類名】明細書
【補正対象項目名】００１３
【補正方法】変更
【補正の内容】
【００１３】
また、加熱ローラと、該加熱ローラに当接し、該加熱ローラを押圧する加圧ローラを有する定着手段を備えた電子写真方式の画像形成装置において、
該定着手段は、加圧ローラ表面の残留トナーのクリーニング手段を有し、
該クリーニング手段は、前記加熱ローラと当接し、前記加熱ローラを押圧するバックアップローラを有し、更に前記加圧ローラと当接し、前記加圧ローラを押圧するバックアップローラを有する第２のクリーニング手段を有し、
各バックアップローラは、金属よりなる軸芯と、その外層に弾性体よりなる弾性層を有し、長手方向中央部に対し両端部の径が細い形状をなすことを特徴とする画像形成装置。
【手続補正４】
【補正対象書類名】明細書
【補正対象項目名】００１４
【補正方法】変更
【補正の内容】
【００１４】
また、加熱ローラと該加熱ローラに当接し押圧する加圧ローラを有する定着手段と、制御手段とを備えた電子写真方式の画像形成装置において、
該定着手段は、該加熱ローラと該加圧ローラおよび、残留トナーのクリーニング手段を備え、
該クリーニング手段は、バックアップローラと、該バックアップローラが当接する該加熱ローラとのニップ幅が１〜６ｍｍとなるように、該バックアップローラと該加熱ローラを離間して配設し、
直径が５〜１５ｍｍの金属よりなる軸芯と、その外層に硬度が１０〜４０度（アスカーＣ硬度計にて測定）で、表面粗さがＲａ＝２０〜８０μｍの粗さの発泡ゴムを含む弾性体よりなる弾性層との２層構造で構成され、軸方向中央部に対し両端部の直径が小さく、直径差が０．１〜２ｍｍのクラウン形状もしくは紡錘形状をなしたバックアップローラと、
該バックアップローラと該加熱ローラ間を摺接し搬送される、ローラ上に付着した残留トナーを除去するアラミド繊維を含む繊維からなるリボン状のクリーニングウエブと、
該クリーニングウエブを供給する繰り出し手段と、該クリーニングウエブを回収する巻き取り手段と、を有し、
該巻き取り手段の駆動手段は該制御手段により制御され、
該駆動手段は、該バックアップローラが当接する該加熱ローラが正転するとき、該制御手段により該加熱ローラの回転方向と逆方向にクリーニングウエブ幅に応じ８〜３０Ｎ以上の巻き上げ力を発生するように制御されることを特徴とする画像形成装置。